(57)【要約】【課題】ＤＦモードで白黒モード読取り時、カラーＣＣＤ中の第１優先色のデータにゴミがあった場合に、ゴミの無い読取りができる比率を増すこと。【解決手段】ＤＦモード読取り時に、所定の位置にイメージセンサの走査位置を固定させ、原稿読取りに先立ちＤＦ背景板を読取り、白黒モード読取り時、第１優先色のデータにゴミがある場合に、ゴミの無い他色のデータを用いて白黒モード読取りを行う。【選択図】図１
2007281703.tif 000002
【特許請求の範囲】
【請求項１】
コンタクトガラス上に置かれた原稿をイメージセンサが走査して読取るＢＯＯＫモード読取りと、イメージセンサの走査位置が固定され、シートスルーＤＦにより原稿を移動させて読取るＤＦモード読取りを備えた装置であり、カラーＣＣＤを用いてカラー読取りが可能な装置で、白黒モード読取り時にカラーＣＣＤの内の１色データで読取りを行う画像読取り装置において、
読取った各色のデータから、走査位置にゴミがあるかを判定するゴミ判定手段、各色の判定結果に基づき、白黒モード読取りに用いる1色データを選択する色データ選択手段を持ち、
ＤＦモード読取り時に、所定の位置にイメージセンサの走査位置を固定させ、原稿読取りに先立ちＤＦ背景板を読取り、
白黒モード読取り時、第１優先色のデータにゴミがある場合に、ゴミの無い他色のデータを用いて白黒モード読取りを行うことを特徴とする画像読取り装置。
【請求項２】
操作部から白黒モード読取りに用いる、第１優先色、第２優先色、を指定可能なことを特徴とする請求項１記載の画像読取り装置。
【請求項３】
ＤＦモード／白黒モード読取り時、ＤＦ背景板を読取り、第１優先色のデータにゴミがある場合、イメージセンサの走査位置を移動させて繰り返しゴミ判定を行う装置で、所定回数移動させても第１優先色のデータにゴミがある場合に、ゴミの無い他色のデータを用いて白黒モード読取りを行うことを特徴とする請求項１または２記載の画像読取り装置。
【請求項４】
ＤＦモード／白黒モード読取り時、ＤＦ背景板を読取り、ゴミがありどのデータも選択できない場合、イメージセンサの走査位置を移動させて繰り返しゴミ判定を行うことを特徴とする請求項１または２記載の画像読取り装置。
【請求項５】
操作部からイメージセンサの走査位置を移動させる回数を指定可能なことを特徴とする請求項３または４記載の画像読取り装置。
【請求項６】
操作部から最後までゴミが続いた場合、最後のイメージセンサの走査位置で第１優先色のデータを用いて読取りを行うか、読取りを中止するか、指定可能なことを特徴とする請求項３から５のいずれか１項に記載の画像読取り装置。
【発明の詳細な説明】
【技術分野】
【０００１】
本発明は、デジタルコピー、ファクシミリ、スキャナ等の画像読取り装置に関し、
特に、コンタクトガラス上に置かれた原稿をイメージセンサが走査して読取るＢＯＯＫモード読取りと、イメージセンサの走査位置が固定され、シートスルーＤＦにより原稿を移動させて読取るＤＦモード読取りを備えた装置であり、カラーＣＣＤ（ＲＧＢ  ３ラインＣＣＤ）を用いてカラー読取りが可能な装置で、白黒モード読取り時にカラーＣＣＤの内の１色データで読取りを行う、画像読取り装置に関する。
【背景技術】
【０００２】
従来、デジタルコピーなどの画像読取り装置において、ＢＯＯＫモード読取りでは、イメージセンサが走査して読取るため、コンタクトガラス上にゴミが付着していても、ゴミ位置の読取りデータに影響が出るだけで、異常な画像となることはないが、ＤＦモード読取りでは、イメージセンサの走査位置を固定させて読取るため、コンタクトガラス上にゴミが付着していると、読取り画像の副走査方向全域に渡り、ゴミ位置の読取りデータに影響が出て、縦スジ画像となる。（多くの場合、ゴミにより画像データが黒っぽくなるため、黒の縦スジとなる。）
【０００３】
上記の問題を解決するために、例えば、特許文献１には、ＤＦモード読取りにおいて、原稿読取りに先立ち、ＤＦ背景板を読取り、ゴミによる読取りデータ異常を検出すると、ＤＦ読取り位置を移動させてゴミによる読取りデータ異常がない位置を探し、ゴミの無い位置でＤＦ読取りを行うことで、縦スジ画像の発生を抑えたＤＦ読取りを提供する技術が開示されている。
【特許文献１】特開２００１−３３３２５３号公報
【発明の開示】
【発明が解決しようとする課題】
【０００４】
しかしながら、上述した従来例では上記のように、ゴミを検出した場合にＤＦ読取り位置を移動させる方法においても、ゴミ検出が続き、移動を繰り返すと、ゴミ検知に要する時間のため、ＤＦ読取り時間が遅くなる。といった問題があり、結局、ゴミ検知を繰り返し行う回数が制限され、ゴミを避けきれない場合も多いという問題があった。
【０００５】
本発明は、以上説明した事情に鑑みてなされたものであり、その目的は、コンタクトガラス上に置かれた原稿をイメージセンサが走査して読取るＢＯＯＫモード読取りと、イメージセンサの走査位置が固定され、シートスルーＤＦにより原稿を移動させて読取るＤＦモード読取りを備えた装置であり、カラーＣＣＤ（ＲＧＢ  ３ラインＣＣＤ）を用いてカラー読取りが可能な装置で、白黒モード読取り時にカラーＣＣＤの内の１色データで読取りを行う画像読取り装置に関し、ＤＦモードで白黒モード読取り時、カラーＣＣＤ中の第１優先色のデータにゴミがあった場合に、ゴミの無かった他色のデータを用いて白黒読取りを行うことで、ゴミの無い読取りができる比率を増すことである。
【課題を解決するための手段】
【０００６】
請求項１記載の画像読取り装置は、
コンタクトガラス上に置かれた原稿をイメージセンサが走査して読取るＢＯＯＫモード読取りと、イメージセンサの走査位置が固定され、シートスルーＤＦにより原稿を移動させて読取るＤＦモード読取りを備えた装置であり、カラーＣＣＤ（ＲＧＢ ３ラインＣＣＤ）を用いてカラー読取りが可能な装置で、白黒モード読取り時にカラーＣＣＤの内の１色データで読取りを行う画像読取り装置において、
読取った各色のデータから、走査位置にゴミがあるかを判定するゴミ判定手段、各色の判定結果に基づき、白黒モード読取りに用いる１色データを選択する色データ選択手段を持ち、
ＤＦモード読取り時に、所定の位置にイメージセンサの走査位置を固定させ、原稿読取りに先立ちＤＦ背景板を読取り、
白黒モード読取り時、第１優先色のデータにゴミがある場合に、ゴミの無い他色のデータを用いて白黒モード読取りを行うことで、ゴミの無い読取りができることを目的としている。
【０００７】
請求項２記載の画像読取り装置は、
請求項１の装置であり、操作部から、白黒モード読取りに用いる、第１優先色、第２優先色、を指定可能にし、白黒モード読取りに用いる優先色データを選択できることを目的としている。
【０００８】
請求項３記載の画像読取り装置は、
請求項１または２の装置であり、ＤＦ背景板を読取り、第１優先色のデータにゴミがある場合、イメージセンサの走査位置を移動させて繰り返しゴミ判定を行う装置で、所定回数移動させても第１優先色のデータにゴミがある場合に、ゴミの無い他色のデータを用いることで、ゴミの無い読取りができることを目的としている。
【０００９】
請求項４記載の画像読取り装置は、
請求項１または２の装置であり、ＤＦ背景板を読取り、ゴミがありどのデータも選択できない場合、イメージセンサの走査位置を移動させて繰り返しゴミ判定を行うことで、ゴミがあり使用できるデータが無い場合でも、イメージセンサの走査位置を移動させて、ゴミの無い読取りができることを目的としている。
【００１０】
請求項５記載の画像読取り装置は、
請求項３または４の装置であり、操作部からイメージセンサの走査位置を移動させる回数を指定可能なことで、ゴミありが続き、移動を繰り返し、ＤＦ読取り時間が遅くなるのを防ぐことを目的としている。
【００１１】
請求項６記載の画像読取り装置は、
請求項３から５のいずれか１項に記載の装置であり、操作部から、最後までゴミが続いた場合、最後のイメージセンサの走査位置で第１優先色のデータを用いて読取りを行うか、読取りを中止するか、指定可能なことで、読取りを優先するか、高品質を優先するか、選択できることを目的としている。
【発明の効果】
【００１２】
本発明によれば、ＤＦモードで白黒モード読取り時、カラーＣＣＤ中の第１優先色のデータにゴミがあった場合に、ゴミの無かった他色のデータを用いて白黒読取りを行うことで、ゴミの無い読取りができる比率を増すことができる。
【発明を実施するための最良の形態】
【００１３】
以下、本発明の実施の形態について図面を参照して詳細に説明する。
【００１４】
図１は、画像読取り装置としてのスキャナ１３を示す構成図である。
【００１５】
図１において、読取り部１２とこの読取り部１２の上部に取り付けられたＳＤＦ（シートスルー・ドキュメント・フィーダー）２０を有している。
【００１６】
読取り部１２は、原稿台として原稿を載置するコンタクトガラス１と、原稿露光用の照明ランプ２と第１ミラー３とからなる第１キャリッジ６と、第２ミラー４及び第３ミラー５からなる第２キャリッジ７と、イメージセンサ（ＣＣＤ）９に結像するためのレンズユニット８と、ＣＣＤ９を搭載するセンサーボード１０と、基準白板１１から構成される。
【００１７】
コンタクトガラス１に原稿を置いて読取る場合（ＢＯＯＫモード）は、第１キャリッジ６が一定の速度で、かつ、第２キャリッジがその半分の速度で、矢印Ａ方向に動き、基準白板１１に続きコンタクトガラス１上の原稿を走査する。
【００１８】
次にＳＤＦ２０の構成及びＤＦモードの読取り動作を説明する。
【００１９】
原稿トレイ２１に積置された原稿２２はピックアップローラ２３により分離部へ送られ、フィードローラ２４と分離ローラ２５により１枚ずつ分離されて搬送される。その後、原稿はフィードローラとしての搬送ドラム２６と、この周囲に配置されて搬送ドラム２６に押圧された複数の従動コロ２７により搬送される。
【００２０】
一方、第１、第２キャリッジの方は基準白板１１を走査した後に、図１の走査位置で停止し、原稿が搬送されてくると原稿読取りを開始する。
【００２１】
原稿は、搬送ドラム２６及び従動コロ２７によって図１の右側に搬送され、ＣＣＤ９に入光する反射光は、原稿を副走査方向に走査したものとなる。読取られた原稿は、排紙ローラ２８により排紙トレイ２９に排出される。
【００２２】
図２にＤＦ走査位置Ｙ周辺の構成を示す。
【００２３】
ＤＦ走査位置Ｙには、搬送ドラム２６に対向してＤＦ用コンタクトガラス３０が設けられており、ＤＦ用コンタクトガラス３０上部には、ＤＦ背景板３１が設けられている。（本実施の形態ではＤＦ背景板は白色とする。）
【００２４】
ＤＦ用コンタクトガラス３０上に紙粉等のゴミが付着していると、ＤＦの原稿読取り時は走査位置が動かないため、縦スジ画像となってしまう。
【００２５】
次に、読取りデータの処理について図３を用いて説明する。
【００２６】
スキャナ１３において、ＣＣＤ ９はＲＧＢのフィルタを被せたＣＣＤセンサが３列並んでいるカラーＣＣＤである。アナログ処理部４３ではＣＣＤ９から出力されるアナログ信号をサンプル＆ホールド、増幅し、Ａ／Ｄコンバータ４４でＲＧＢ各色のアナログ信号をデジタル信号に変換して、画像処理部４１に出力する。
【００２７】
ＣＣＤ９から出力される信号は等倍時に４ライン間隔の位置ずれが存在するため、ライン間補正部４５では、等倍時には、Ｒ色信号を８ライン遅延、Ｇ色信号を４ライン遅延させてＲＧＢの読取り信号を同一位置（ライン）のデータにする。シーディング補正部４６では光学系の濃度むら、ＣＣＤ９の感度ばらつきに関する補正をＲＧＢそれぞれの信号に対して行い、後段に画像データを出力する。
【００２８】
ここで、カラー読取りモード時は、シーディング補正部４６から出力されるＲＧＢ３色のデータでその後の画像処理が行われるが、白黒モード時はその後の画像処理はG色のデータのみで行われる。
【００２９】
図４を用いて、請求項１の装置の動作を説明する。
【００３０】
ＤＦモード読取り時、原稿読取りに先立ち、まず基準白板１１を読取り、白の基準レベルとなるシェーディングデータを作成する。シェーディングデータは、基準白板を走査しながら読取った複数ラインのデータによって作成するため、仮に、基準白板にゴミがあっても、シェーディングデータはゴミの影響をほどんど受けない。
【００３１】
シェーディングデータ作成後、第１キャリッジ６は図２のＤＦ走査位置Yに移動し、原稿読取りに先立ち、ＤＦ背景板３１の読取りを行い、ＲＧＢ各色のデータがゴミがあるかを、ゴミ判定手段５１により判定する。
【００３２】
ここで、ゴミ判定手段５１の判定方法の１例を説明する。
【００３３】
ゴミ判定手段５１では、各色ともＤＦ背景板３１を読取ったデータ中のＭＩＮ値、ＭＡＸ値を検出し、ＭＡＸ値に対しＭＩＮ値が所定の比率以下であれば、そのデータはゴミの影響を受けたものであると判定する。
【００３４】
ＤＦ背景板３１の読取りデータはシェーディング補正によりほぼ均一なレベルになるが、黒いゴミがあると読取りレベルが低下する。ＭＩＮ／ＭＡＸレベルが所定値以下になっていれば、読取りデータはゴミの影響を受けていると判断することができる。
【００３５】
ゴミ判定手段５１の判定結果により、CPUが使用するデータを決定して色データ選択手段５２に選択信号を出力する。色データ選択手段５２では、選択信号に基づきＧ色ラインに出力するデータの切替えを行う。（ＲＧＢの１色を選択して出力する）
【００３６】
この読取り色の決定後、搬送されてくる原稿に同期して、原稿画像の読取りを行う。
【００３７】
請求項２の装置の動作は、操作部から白黒モード読取りに使用する第１優先色、第２優先色、が指定可能になっており、また、第１優先色の選択は必須であるが、それ以降（第２優先色、第３色）の選択は不可も指定可能になっている。
【００３８】
図５のフローチャートで、ゴミ判定手段５１の判定結果により、ＣＰＵが使用するデータを決定するフロー例を示す。尚、フローチャートではＢＯＯＫモードの白黒モード時はＧ色固定としているが、ＤＦモード同様に切替えるようにしても良い。
【００３９】
請求項３の装置の動作は、ＤＦ背景板の読取りで第１優先色にゴミがあると、ＤＦ走査位置を所定距離移動させて、その位置を新たにＤＦ走査位置にしてゴミ判定を繰り返す。
【００４０】
ＤＦ走査位置を所定回数移動しても第１優先色にゴミが続く場合に、図５のフローチャートで、他色が使用できるか判定する。
【００４１】
尚、走査位置移動の所定回数は、移動の制限回数と別な値とし、所定回数以降は、図５のフローチャートで選択色なしの場合、ゴミがあっても仕方がなく第１優先色を選ぶようにしているが、選択色なしの場合に、ＤＦ走査位置を所定距離移動させて、その位置を新たにＤＦ走査位置にしてゴミ判定を繰り返す。
【００４２】
請求項４の装置の動作は、ＤＦ背景板読取りの最初から、図５のフローチャートに従い、選択色なしの場合、ゴミがあっても仕方がなく第１優先色を選ぶようにしているが、選択色なしの場合に、ＤＦ走査位置を所定距離移動させて、その位置を新たにＤＦ走査位置にしてゴミ判定を繰り返す。
【００４３】
尚、ＤＦ走査位置とできる範囲は限られているため、ゴミのためＤＦ走査位置を移動させて限度位置となった場合は、移動方向を逆方向にするものとする。
【００４４】
請求項５の装置の動作は、操作部からＤＦ走査位置を移動させる所定回数や制限回数が指定可能になっている。
【００４５】
請求項６の装置の動作は、操作部から、最後までゴミが続いた場合、最後のＤＦ走査位置で第１優先色のデータを用いて読取りを行うか、読取りを中止するか、指定可能になっている。
【００４６】
上記の本実施の形態によれば、請求項１記載の発明は、コンタクトガラス上に置かれた原稿をイメージセンサが走査して読取るＢＯＯＫモード読取りと、イメージセンサの走査位置が固定され、シートスルーＤＦにより原稿を移動させて読取るＤＦモード読取りを備えた装置であり、カラーＣＣＤ（ＲＧＢ ３ラインＣＣＤ）を用いてカラー読取りが可能な装置で、白黒モード読取り時にカラーＣＣＤの内の１色データで読取りを行う画像読取り装置において、読取った各色のデータから、走査位置にゴミがあるかを判定するゴミ判定手段、各色の判定結果に基づき、白黒モード読取りに用いる１色データを選択する色データ選択手段を持ち、ＤＦモード読取り時に、所定の位置にイメージセンサの走査位置を固定させ、原稿読取りに先立ちＤＦ背景板を読取り、白黒モード読取り時、第１優先色のデータにゴミがある場合に、ゴミの無い他色のデータを用いて白黒モード読取りを行うことで、ゴミの無い読取りができる。
【００４７】
また、請求項２記載の発明は、請求項１の装置であり、操作部から、白黒モード読取りに用いる、第１優先色、第２優先色、を指定可能にしていることで、白黒モード読取りに用いる優先色データを選択できる。
【００４８】
請求項３記載の発明は、請求項１または２の装置であり、ＤＦ背景板を読取り、第１優先色のデータにゴミがある場合、イメージセンサの走査位置を移動させて繰り返しゴミ判定を行う装置で、所定回数移動させても第１優先色のデータにゴミがある場合に、ゴミの無い他色のデータを用いることで、ゴミの無い読取りができる。
【００４９】
請求項４記載の発明は、請求項１または２の装置であり、ＤＦ背景板を読取り、ゴミがありどのデータも選択できない場合、イメージセンサの走査位置を移動させて繰り返しゴミ判定を行うことで、ゴミがあり使用できるデータが無い場合でも、イメージセンサの走査位置を移動させて、ゴミの無い読取りができる。
【００５０】
請求項５記載の発明は、請求項３または４の装置であり、操作部からイメージセンサの走査位置を移動させる回数を指定可能なことで、ゴミありが続き、移動を繰り返し、ＤＦ読取り時間が遅くなるのを防ぐことができる。
【００５１】
請求項６記載の発明は、請求項３から５のいずれか１項の装置であり、操作部から、最後までゴミが続いた場合、最後のイメージセンサの走査位置で第１優先色のデータを用いて読取りを行うか、読取りを中止するか、指定可能なことで、読取りを優先するか、高品質を優先するか、選択できる。
【００５２】
なお、上述する各実施の形態は、本発明の好適な実施の形態であり、本発明の要旨を逸脱しない範囲内において種々変更実施が可能である。例えば、プリンタ、コピー、ファックスに適用可能である。
【００５３】
また、上記の実施の形態における画像読取り装置の機能を実現するためのプログラムを本装置に読込ませて実行することにより本装置の機能を実現する処理を行ってもよい。さらに、そのプログラムは、コンピュータ読み取り可能な記録媒体であるＣＤ−ＲＯＭまたは光磁気ディスクなどを介して、または伝送媒体であるインターネット、電話回線などを介して伝送波により他のコンピュータシステムに伝送されてもよい。
【００５４】
上述する各実施の形態は、本装置の各機能が１つのコンピュータシステムとして実現されている構成について説明したが、機能毎に複数の装置などが追加された構成にも適用可能であることはもちろんである。
【図面の簡単な説明】
【００５５】
【図１】本発明の実施の形態におけるスキャナ構成図である。
【図２】本発明の実施の形態におけるＤＦ走査位置周辺の構成を示す図である。
【図３】本発明の実施の形態における読取りデータ処理のブロック図である。
【図４】本発明の実施の形態における画像読取り装置のブロック図である。
【図５】本発明の実施の形態における色データ決定のフローチャートである。
【符号の説明】
【００５６】
１    コンタクトガラス
２    照明ランプ
３    第１ミラー
４    第２ミラー
５    第３ミラー
６    第１キャリッジ
７    第２キャリッジ
８    レンズユニット
９    イメージセンサ（ＣＣＤ）
１０    センサーボード
１１    基準白板
１２    読取り部
２０    ＳＤＦ
２１    原稿トレイ
２２    原稿
２３    ピックアップローラ
２４    フィードローラ
２５    分離ローラ
２６    搬送ドラム
２７    従動コロ
２８    排紙ローラ
２９    排紙トレイ
【図１】
2007281703.tif 000003
【図２】
2007281703.tif 000004
【図３】
2007281703.tif 000005
【図４】
2007281703.tif 000006
【図５】
2007281703.tif 000007